(57)【特許請求の範囲】
【請求項１】
複数の入力チャンネルの音声信号に対して、ゲインをそれぞれ調節するための複数のフェーダと、
外部制御機器から制御コマンドを受信すると、該制御コマンドに応じた処理を実行する処理手段と、
前記各入力チャンネル毎に、前記ゲインの自動更新を許容するか否かを指定する選択情報および音声信号をフェードインさせるかフェードアウトさせるかを示す動作指定情報を記憶する記憶手段と
を備え前記外部制御機器によって遠隔操作されるミキサ装置の制御方法であって、
前記制御コマンドとして所定の実行指令コマンドを受け付けた時点において、前記複数の入力チャンネルのうち前記選択情報により自動更新を許容する旨が指定された入力チャンネルのゲインを、前記動作指定情報に従って、音声信号がフェードインまたはフェードアウトするように、それぞれ自動更新する処理を開始する過程と、
前記複数のフェーダに対する操作をそれぞれ検出する過程と、
前記操作が検出されたフェーダが対応する入力チャンネルに関する前記ゲインの自動更新を中止する過程と、
前記操作が検出された時点における前記フェーダの操作量に応じて、当該フェーダが対応する入力チャンネルのゲインを設定する過程と、
を前記処理手段が実行することを特徴とするミキサ装置の制御方法。
【請求項２】
前記ミキサ装置は、前記フェーダ毎に設けられ対応する入力チャンネルについて前記ゲインの自動更新を許容するか否かを指定する選択操作子を備えるものであり、
前記処理手段は、
前記選択操作子に対する操作を検出する過程と、
前記操作が検出された選択操作子に対応する入力チャンネルに関する前記選択情報の値を反転させる過程と、
前記選択情報の値が反転されたことにより、前記選択情報がゲインの自動更新を許容しないことを指定する値に変更され、かつ、前記選択操作子が操作された時点において前記ゲインの自動更新が実行中であった場合に、前記操作が検出された選択操作子に対応する入力チャンネルに関する前記ゲインの自動更新を中止するとともに、当該入力チャンネルのゲインを所定の基準値に変更する過程と、
をさらに実行することを特徴とする請求項１記載のミキサ装置の制御方法。
【請求項３】
前記処理手段は、
前記複数のフェーダを、前記ゲインの自動更新に追従して自動駆動させる過程
をさらに実行すること
を特徴とする請求項１記載のミキサ装置の制御方法。
【請求項４】
請求項１ないし３の何れかに記載のミキサ装置の制御方法を実行することを特徴とするミキサ装置。
【請求項５】
請求項１ないし３の何れかに記載のミキサ装置の制御方法を前記処理手段に実行させることを特徴とするプログラム。
【発明の詳細な説明】
【技術分野】
【０００１】
本発明は、映像・音声コンテンツの製作に用いて好適なミキサ装置の制御方法、ミキサ装置およびプログラムに関する。
【背景技術】
【０００２】
映像・音声コンテンツを製作するにあたっては、例えば素材となる映像・音声信号を再生し、あるいは完成したコンテンツを収録する複数のＶＴＲ、音声信号をミキシングするデジタルミキサ、映像信号を切り換えるビデオスイッチャ等、多数の機器を操作する必要がある。これらの機器を操作者が個別に操作することは非常に煩雑であるため、これらの機器を集中的に遠隔制御する制御機器を使用する技術が知られている。すなわち、操作者は主としてこの制御機器のみを操作することによって他の機器を操作でき、コンテンツの製作作業を続行することが可能である。
【０００３】
ここで、素材となる２系統の音声信号を切り換えるべき場合には、一般的には一方の音声信号をフェードインしつつ他方の音声信号をフェードアウトするクロスフェード（音声信号に対するゲインの自動更新）が実行される。上述した制御機器においてもクロスフェードを実行するようゲインの自動更新をミキサに指示することができる。すなわち、制御機器において操作者が所定の操作を行うと、ゲインの自動更新を実行すべき旨を指令するコマンドが制御機器からデジタルミキサに送信される。デジタルミキサにおいてこのコマンドが受信されると、予め記憶されたゲインの自動更新用の設定情報に基づいてゲインの自動更新が実行される。すなわち、一群の入力チャンネルの音声信号がフェードアウトされつつ、他の一群の入力チャンネルの音声信号がフェードインされる。その際、デジタルミキサの操作パネル上にあっては、これらのチャンネルに対応するフェーダが自動的に上下方向に駆動される。なお、このように外部からの遠隔操作が可能なデジタルミキサは、例えば非特許文献１に開示されている。
【０００４】
【非特許文献１】「ＤＭ２０００取扱説明書」  ヤマハ株式会社，平成１４年２月
【発明の開示】
【発明が解決しようとする課題】
【０００５】
しかし、上述した技術においては、制御機器側からゲインの自動更新が指令されると、デジタルミキサの操作パネル上で、一部のチャンネルについてゲインの自動更新を中止することは不可能であった。また、操作者が一部のチャンネルについてゲインの自動更新の中止を要望する場合には、ゲインの自動更新の実行前の状態にフェーダを戻すことを希望する場合もあれば、ゲインの自動更新の実行開始後の任意の位置にフェーダを止めておくことを希望する場合もある。
この発明は上述した事情に鑑みてなされたものであり、ゲインの自動更新の途中で一部のチャンネルについてゲインの自動更新を中止できるミキサ装置の制御方法、ミキサ装置およびプログラムを提供することを第１の目的としている。また、これらにおいて、様々な態様でゲインの自動更新を中止できるようにすることを第２の目的としている。
【課題を解決するための手段】
【０００６】
上記課題を解決するため本発明にあっては、下記構成を具備することを特徴とする。なお、括弧内は例示である。
請求項１記載のミキサ装置の制御方法にあっては、複数の入力チャンネルの音声信号に対して、ゲインをそれぞれ調節するための複数のフェーダ（５２４）と、外部制御機器から制御コマンドを受信すると、該制御コマンドに応じた処理を実行する処理手段（ＣＰＵ１８）と、前記各入力チャンネル毎に、前記ゲインの自動更新を許容するか否かを指定する選択情報（ＦＡＤＥＲモード）および音声信号をフェードインさせるかフェードアウトさせるかを示す動作指定情報（ＣＲＯＳＳＦＡＤＥモード）を記憶する記憶手段（１６，３０）とを備え前記外部制御機器によって遠隔操作されるミキサ装置の制御方法であって、前記制御コマンドとして所定の実行指令コマンドを受け付けた時点において、前記複数の入力チャンネルのうち前記選択情報により自動更新を許容する旨が指定された入力チャンネルのゲインを、前記動作指定情報に従って、音声信号がフェードインまたはフェードアウトするように、それぞれ自動更新する処理を開始する過程（図７，ＳＰ４２〜ＳＰ５９）と、前記複数のフェーダに対する操作をそれぞれ検出する過程（図８(b)）と、前記操作が検出されたフェーダが対応する入力チャンネルに関する前記ゲインの自動更新を中止する過程（ＳＰ７７，ＡＵＴＯモードのＯＦＦ設定）と、前記操作が検出された時点における前記フェーダの操作量に応じて、当該フェーダが対応する入力チャンネルのゲインを設定する過程（ＳＰ７８，フェーダゲインの更新）と、を前記処理手段が実行することを特徴とする。
さらに、請求項２記載の構成にあっては、請求項１記載のミキサ装置の制御方法において、前記ミキサ装置は、前記フェーダ毎に設けられ対応する入力チャンネルについて前記ゲインの自動更新を許容するか否か（ＦＡＤＥＲモード）を指定する選択操作子（ＳＥＬキー５１６）を備えるものであり、前記処理手段は、前記選択操作子に対する操作を検出する過程と、前記操作が検出された選択操作子に対応する入力チャンネルに関する前記選択情報の値を反転させる過程（ＳＰ１０４，ＳＰ１１４）と、前記選択情報の値が反転されたことにより、前記選択情報がゲインの自動更新を許容しないことを指定する値に変更され、かつ、前記選択操作子が操作された時点において前記ゲインの自動更新が実行中であった場合に（ステップＳＰ１０８にて「ＹＥＳ」）、前記操作が検出された選択操作子に対応する入力チャンネルに関する前記ゲインの自動更新を中止する（ＳＰ１１０）とともに、当該入力チャンネルのゲインを所定の基準値に変更する（ＳＰ１１２）過程と、をさらに実行することを特徴とする。
さらに、請求項３記載の構成にあっては、請求項１記載のミキサ装置の制御方法において、前記処理手段は、前記複数のフェーダを、前記ゲインの自動更新に追従して自動駆動させる過程（ＳＰ６４）をさらに実行することを特徴とする。
また、請求項４記載のミキサ装置にあっては、請求項１ないし３の何れかに記載のミキサ装置の制御方法を実行することを特徴とする。
また、請求項５記載のプログラムにあっては、請求項１ないし３の何れかに記載のミキサ装置の制御方法を前記処理手段に実行させることを特徴とする。
【発明の効果】
【０００７】
このように、本発明によれば、一部のチャンネルに対してフェーダに対する操作を操作者が実行することによってゲインの自動更新を途中で中止させることができる。さらに、フェーダに対する操作および選択操作子に対する操作の双方が可能な構成によれば、何れの操作を選択するかによって対応する音量操作子に係るゲインを所定の基準値に設定するか否かを選択することができるから、多彩な態様でゲインの自動更新を中止させることができる。
【発明を実施するための最良の形態】
【０００８】
1．実施例の構成
1．1．全体構成
次に、本発明の一実施例のデジタルミキサが適用される編集システムの構成を図１を参照し説明する。図において１０６，１０８，１１０はＶＴＲであり、ＶＴＲ１０６，１０８はコンテンツを製作するための素材となる映像・音声信号を再生する。また、ＶＴＲ１１０は、完成したコンテンツの映像・音声信号を記録する。なお、これらＶＴＲはマルチトラックの音声信号を記録・再生する。１０４は映像機器であり、ビデオスイッチャ、ビデオエフェクタ等から構成され、ＶＴＲ１０６，１０８から再生された映像信号に対して効果付与、混合、切換等の処理を施し、その結果の映像信号をＶＴＲ１１０に供給する。
【０００９】
１１２は本実施例のデジタルミキサであり、ＶＴＲ１０６，１０８から供給された音声信号に対して効果処理、レベル調節処理等を実行するとともに、その結果の音声信号をＶＴＲ１１０に供給する。１０２は、映像機器１０４、ＶＴＲ１０６，１０８，１１０、デジタルミキサ１１２等の複数の制御対象機器を、タイミングを合わせて動作（処理）させるように遠隔制御する制御機器であり、複数の制御対象機器のそれぞれに対して、制御内容（制御対象機器に実行させる処理）を表す指令（制御コマンド）を機器ごとの制御タイミング（その処理を実行させるタイミング）に合せて送信する。それぞれの制御対象機器（映像機器１０４、ＶＴＲ１０６，１０８，１１０、デジタルミキサ１１２等）は、制御機器１０２から制御コマンドを受信すると、その制御コマンドが表す処理を実行する。１１４はサウンドシステムであり、デジタルミキサ１１２から出力されたＣＵＥ信号（モニタ用の信号）を放音する。
【００１０】
1．2．デジタルミキサ１１２の構成
次に、デジタルミキサ１１２の詳細構成を図２を参照し説明する。図２において２は制御信号インタフェースであり、上述した制御コマンド等の制御信号を制御機器１０２との間で入出力する。４は音声信号インタフェースであり、ＶＴＲ１０６，１０８，１１０等の入出力機器との間で音声信号を入出力する。６は信号処理回路であり、一群のＤＳＰ（デジタル・シグナル・プロセッサ）によって構成されている。信号処理回路６は、音声信号インタフェース４を介して供給されたデジタル音声信号に対してミキシング処理や効果処理を施し、その結果を音声信号インタフェース４に出力する。
【００１１】
１０は操作子群であり、フェーダ、ボリューム操作子、スイッチ、文字入力用キーボード、マウス等の操作子から構成されている。１２は表示器群であり、ユーザに対して各種情報を表示するフラットパネルディスプレイ（ＬＣＤディスプレイなど）、ボリューム操作子の周囲のＬＥＤ、スイッチ等に埋設されたＬＥＤ、レベルメータ等から構成されている。１８はＣＰＵであり、ＲＯＭ１４に格納された制御プログラムに基づいて、バス８を介して各部を制御する。１６はＲＡＭであり、ＣＰＵ１８のワークメモリとして使用される。
【００１２】
また、上記ＲＡＭ１６には、カレント領域１６ａなる領域が確保される。このカレント領域１６ａには、信号処理回路６における信号処理のための各種パラメータのそれぞれについての、現在設定されている値が記憶される。例えば、各フェーダの操作量に基づいて入出力チャンネルの音声信号に対して付与されるフェーダゲイン（音声信号の音量を調節するための値）、各入出力チャンネルのイコライジング処理のパラメータ、各種スイッチのオン／オフ状態等がこのカレント領域１６ａに記憶される。そして、信号処理回路６で実行される音声信号に対する信号処理は、このカレント領域１６ａに記憶されている値に基づいて制御される。
【００１３】
1．3．操作パネルの要部の構成
次に、デジタルミキサ１１２の操作パネル（操作子群１０）の要部の構成を図３を参照し説明する。
図において５１０−１，５１０−２，……はチャンネルストリップであり、各入力チャンネルに対応して設けられている。各チャンネルストリップは同様の構成を有しているため、以下チャンネルストリップ５１０−１を例として詳細構成を説明する。
【００１４】
チャンネルストリップ５１０−１の内部において、５１２はＯＮキーであり、対応する入力チャンネルのオンオフ状態を切り換える。そして、ＯＮキー５１２の内部には、そのオン／オフ状態に応じて点灯／消灯するＬＥＤが埋設されている。５１４はロータリーエンコーダであり、入力チャンネルのＰＡＮ調節やゲイン調節に用いられる。また、ロータリーエンコーダ５１４の周囲には環状にＬＥＤが配置され、その点灯状態によってロータリーエンコーダ５１４の操作量が表示される。５１６はＳＥＬキーであり、後述するＦＡＤＥＲモードのオン／オフ状態を切り換える。ＳＥＬキー５１６には発光色の異なる複数のＬＥＤが内蔵されており、これらＬＥＤは独立して点灯／消灯状態を設定できるように構成されている。
【００１５】
５１８はディスプレイであり、入力チャンネルのチャンネル名を表示する。５２４は電動フェーダであり、操作者による手動操作を検知する検知手段を備え、該検知手段で手動操作を検知したとき、該手動操作により操作された操作量（レベル）を検出し、該検出したレベルに応じて対応する入力チャンネルのフェーダゲインを調節する。上記ロータリーエンコーダ５１４および電動フェーダ５２４は、ＣＰＵ１８の指令に基づいてその操作量を自動的に設定することができる。５２６はＣＵＥキーであり、対応する入力チャンネルのＣＵＥのオン／オフ状態を切り換える。ＣＵＥがＯＮ状態である入力チャンネルの音声信号は、ＣＵＥ信号に混合される。すなわち、一または複数の入力チャンネルの音声信号を混合した結果がＣＵＥ信号になり、該ＣＵＥ信号はサウンドシステム１１４を介して放音される。
【００１６】
2．実施例のデータ構造
デジタルミキサ１１２のＲＡＭ１６には、図４に示す設定情報テーブル３０が記憶される。図において３２はデジタルミキサ１１２における入力チャンネルの番号を表すチャンネル番号欄、３４は入力機器割当部である。入力機器割当部３４においては、複数の入力機器Ａ，Ｂ，Ｃ，……からの入力音声信号が何れの入力チャンネルがに割り当てられているかが定義される。各入力機器に割り当てられている入力チャンネルを図上では「Ｘ」印によって表示する。入力機器Ａ，Ｂ，Ｃ，……には、任意の入力機器を割り当てることが可能であるが、ここでは入力機器ＡとしてＶＴＲ１０６、入力機器ＢとしてＶＴＲ１０８が割り当てられていることとする。すなわち、図示の例にあっては、入力機器Ａ（ＶＴＲ１０６）から入力される４つの入力信号のそれぞれが、第１〜第４入力チャンネルのそれぞれに割り当てられ、入力機器Ｂ（ＶＴＲ１０８）から入力される４つの入力信号のそれぞれが、第５〜第８入力チャンネルのそれぞれに割り当てられている。この入力機器割当部３４における割当の状態は、操作者によってデジタルミキサ１１２上の操作子を用いて設定される。
【００１７】
３５はＦＡＤＥＲモード指定部であり、各入力チャンネルに対して「ＯＮ」または「ＯＦＦ」のＦＡＤＥＲモードを指定する。ここで、ＦＡＤＥＲモードとは、各入力チャンネルに係るチャンネルストリップ５１０−１，５１０−２，……の内部が制御機器１０２からの制御コマンドに基づいて遠隔制御され得るか否かを指定するものである。すなわちＦＡＤＥＲモードがＯＮ状態であれば、当該チャンネルのフェーダ等は制御コマンドに基づいて遠隔制御され得る状態になり、ＯＦＦ状態であれば制御コマンドに基づいては遠隔制御されない状態になる。このＦＡＤＥＲモードの状態は、操作者によってデジタルミキサ１１２上の操作子（ＳＥＬキー５１６）を用いて設定される。
【００１８】
３６はＣＲＯＳＳＦＡＤＥモード指定部であり、「ＦＲＯＭ」、「ＴＯ」または「ＮＯＮＥ」のうち何れかのＣＲＯＳＳＦＡＤＥモードを記憶する。ここで、「ＦＲＯＭ」とは、ゲインの自動更新の実行に際してフェードアウトされることを意味し、「ＴＯ」はフェードインされることを意味し、「ＮＯＮＥ」とはフェードイン／フェードアウトの対象にならないことを意味する。但し、ＣＲＯＳＳＦＡＤＥモードが「ＮＯＮＥ」であったとしても、ＦＡＤＥＲモードが「ＯＮ」であればチャンネルストリップ内におけるフェーダ以外の部分は遠隔制御されるため、例えばＣＵＥキー５２６のオン／オフ状態等は制御機器１０２から遠隔制御することが可能である。このＣＲＯＳＳＦＡＤＥモードの状態は、制御機器１０２から受信する制御コマンドによってのみ設定され、デジタルミキサ１１２上の操作子を用いては設定できないようになっている。
【００１９】
次に、３７はＡＵＴＯモード指定部であり、「ＯＮ」または「ＯＦＦ」のＡＵＴＯモードを指定する。ここでＡＵＴＯモードとは、各入力チャンネルに係るフェーダが現在実行中のゲインの自動更新動作において実際に自動的に駆動されるか否かを規定するモードであり、該モードが「ＯＮ」であれば自動的に駆動され、「ＯＦＦ」であれば自動的に駆動されないことを示す。詳細は後述するが、ゲインの自動更新を開始する際に、ＣＲＯＳＳＦＡＤＥモードが「ＦＲＯＭ」または「ＴＯ」である入力チャンネルのＡＵＴＯモードは全てＯＮ状態に設定される。但し、ゲインの自動更新実行中に操作者が所定の操作を行うと、対応する入力チャンネルのＡＵＴＯモードが「ＯＦＦ」に設定される。
【００２０】
次に、３８は基準レベル指定部であり、ゲインの自動更新の基準レベルを規定する。ここで、「基準レベル」は、ＣＲＯＳＳＦＡＤＥモードが「ＦＲＯＭ」の入力チャンネルにあってはゲインの自動更新開始時のフェーダゲインとして用いられ、ＣＲＯＳＳＦＡＤＥモードが「ＴＯ」の入力チャンネルにあってはゲインの自動更新終了時のフェーダゲインとして用いられる値である。
【００２１】
3．実施例の動作
3．1．デジタルミキサの一般的動作
操作者によって操作子群１０が操作されると、その操作内容がＣＰＵ１８によって検出され、カレント領域１６ａ内の対応するパラメータが更新される。また、操作者によって操作子群１０が操作されていない場合においても、後述する各種処理によって、カレント領域１６ａの内容が自動的に更新される場合がある。そして、ＣＰＵ１８においては定期的に割込処理が実行される。この割込処理においては、各操作子の操作量と、カレント領域１６ａ内の対応するパラメータの値とが比較される。そして、両者の値が異なる場合においては、各操作子の操作量が対応するパラメータの値に一致するように、各操作子の操作量が更新される。このように、各操作子の操作量と対応するパラメータとの整合性を保持するように、各操作子の操作量は逐次更新される。
【００２２】
例えば、ロータリーエンコーダ５１４の操作量は周囲のＬＥＤの点灯状態によって表現されるから、その操作量はカレント領域１６ａ内のパラメータの値に応じて一瞬で更新することができる。一方、電動フェーダ５２４の操作量は電動フェーダ５２４の物理的な位置によって表現されるから、パラメータの値（フェーダゲイン）に一致するように電動フェーダ５２４が駆動される。このような一般的な動作は周知のデジタルミキサと同様である。
【００２３】
3．2．ゲインの自動更新の初期設定
ここで、操作者が所定の操作を行うと、表示器群１２内のフラットパネルディスプレイにチャンネル番号欄３２、入力機器割当部３４およびＦＡＤＥＲモード指定部３５の各内容を表示するとともにこれらを編集するための画面が表示される。これにより、操作者は、この画面上でキーボードおよびマウス等を操作することによって、入力機器Ａ，Ｂ，Ｃ，……に割り当てられている入力チャンネルを指定するとともに、これら入力チャンネルに対するＦＡＤＥＲモードを設定することができる。
【００２４】
また、操作者は、実際にＶＴＲ１０６，１０８等から音声信号を再生しつつ、各入力チャンネルのフェーダを操作することにより、各入力チャンネルのフェーダゲインを各々最適なレベルに設定することができる。このようにフェーダゲインが最適なレベルに調節された後、操作者が所定の操作を行うと、各フェーダのその時点のフェーダゲインが、ゲインの自動更新の際の基準レベルとして基準レベル指定部３８に記憶される。但し、ＣＲＯＳＳＦＡＤＥモード指定部３６の内容は後に制御機器１０２から制御コマンドが供給された際に設定されるものであり、ＡＵＴＯモード指定部３７の内容は実際にゲインの自動更新が実行される際に設定されるものであるから、この時点では、操作者はこれら指定部３６，３７の内容を編集することはできない。
【００２５】
3．3．ＣＲＯＳＳＦＡＤＥモードの設定
制御機器１０２からデジタルミキサ１１２に対してゲインの自動更新の実行を指示するためには、ゲインの自動更新に係るチャンネルのＣＲＯＳＳＦＡＤＥモードを予め指定しておく必要がある。かかる指定を実行するために、制御機器１０２からデジタルミキサ１１２に対して供給される制御コマンドとして、以下のものが規定されている。
（１）ＦＲＯＭマシンコマンド：このコマンドは、特定の入力機器に対して割り当てられた全ての入力チャンネルのＣＲＯＳＳＦＡＤＥモードを「ＦＲＯＭ」に設定すべき旨を指示するコマンドである。
（２）ＦＲＯＭチャンネルコマンド：このコマンドは、一または複数の任意の入力チャンネルに対して、ＣＲＯＳＳＦＡＤＥモードを「ＦＲＯＭ」に設定するコマンドである。
（３）ＴＯマシンコマンド：このコマンドは、特定の入力機器に対して割り当てられた全ての入力チャンネルのＣＲＯＳＳＦＡＤＥモードを「ＴＯ」に設定すべき旨を指示するコマンドである。
（４）ＴＯチャンネルコマンド：このコマンドは、一または複数の任意の入力チャンネルに対して、ＣＲＯＳＳＦＡＤＥモードを「ＴＯ」に設定するコマンドである。
【００２６】
以下、制御機器１０２から上記各コマンドが供給された場合の動作を個々に詳述する。但し、上述した何れのコマンドも、ゲインの自動更新が実行中に受信された場合には無視される。従って、ゲインの自動更新が実行中ではない場合に限り、これらのコマンドが実行され、ＣＲＯＳＳＦＡＤＥモードの内容が更新されることになる。なお、「ゲインの自動更新が実行中」であるか否かの判定方法については後述する。
【００２７】
(1)ＦＲＯＭマシンコマンド
制御機器１０２から、何れかの入力機器（Ａ，Ｂ，Ｃ，……）を指定したＦＲＯＭマシンコマンドが供給されると、ＣＰＵ１８においては、図５(a)に示すＦＲＯＭマシンコマンド受信ルーチンが起動される。図において処理がステップＳＰ２に進むと、設定情報テーブル３０内の入力機器割当部３４が参照され、該ＦＲＯＭマシンコマンドによって指定された入力機器に割り当てられた全ての入力チャンネルが検索される。そして、検索された入力チャンネルのＣＲＯＳＳＦＡＤＥモードを全て「ＦＲＯＭ」に設定するようにＣＲＯＳＳＦＡＤＥモード指定部３６の該当箇所が更新される。
【００２８】
(2)ＦＲＯＭチャンネルコマンド
制御機器１０２からＦＲＯＭチャンネルコマンドが供給されると、ＣＰＵ１８においては、図５(b)に示すＦＲＯＭチャンネルコマンド受信ルーチンが起動される。なお、ＦＲＯＭチャンネルコマンドには、例えば図５(c)に示すようなチャンネル指定データ４０が含まれる。このチャンネル指定データ４０は、各入力チャンネル毎に１ビットの指示フラグを割り当てて成るものであり、指示フラグが“１”であるときは対応する入力チャンネルのＣＲＯＳＳＦＡＤＥモードを「ＦＲＯＭ」に設定し、“０”であるときは「ＦＲＯＭ」に設定しないことを指示するものである。さて、図５(b)において処理がステップＳＰ１２に進むと、指示フラグが“１”である全ての入力チャンネルのＣＲＯＳＳＦＡＤＥモードを「ＦＲＯＭ」に設定するようにＣＲＯＳＳＦＡＤＥモード指定部３６の該当箇所が更新される。
【００２９】
次に、処理がステップＳＰ１４に進むと、指示フラグが“０”である全ての入力チャンネルの中から、現在のＣＲＯＳＳＦＡＤＥモードが「ＦＲＯＭ」であるチャンネルが検出される。次に、処理がステップＳＰ１６に進むと、このステップＳＰ１４において少なくとも一のチャンネルが検出されたか否かが判定される。ここで「ＮＯ」と判定されると、本ルーチンの処理は直ちに終了する。一方、「ＹＥＳ」と判定されると、処理はステップＳＰ１８に進み、検出された入力チャンネル（対応する指示フラグが“０”であってＣＲＯＳＳＦＡＤＥモードが「ＦＲＯＭ」であった全入力チャンネル）のＣＲＯＳＳＦＡＤＥモードを「ＮＯＮＥ」に設定するように、ＣＲＯＳＳＦＡＤＥモード指定部３６の該当箇所が更新される。
【００３０】
(3)ＴＯマシンコマンド
制御機器１０２から、何れかの入力機器を指定したＴＯマシンコマンドが供給されると、ＣＰＵ１８においては、図６(a)に示すＴＯマシンコマンド受信ルーチンが起動される。図において処理がステップＳＰ２２に進むと、設定情報テーブル３０内の入力機器割当部３４が参照され、該ＴＯマシンコマンドによって指定された入力機器に割り当てられた全ての入力チャンネルが検索される。そして、検索された入力チャンネルのＣＲＯＳＳＦＡＤＥモードを全て「ＴＯ」に設定するようにＣＲＯＳＳＦＡＤＥモード指定部３６の該当箇所が更新される。
【００３１】
(4)ＴＯチャンネルコマンド
制御機器１０２からＴＯチャンネルコマンドが供給されると、ＣＰＵ１８においては、図６(b)に示すＴＯチャンネルコマンド受信ルーチンが起動される。なお、ＴＯチャンネルコマンドには、例えば図６(c)に示すようなチャンネル指定データ４２が含まれる。このチャンネル指定データ４２は、上述したＦＲＯＭチャンネルコマンドのチャンネル指定データ４０と同様に、各入力チャンネル毎に１ビットの指示フラグを割り当てて成るものである。図６(b)において処理がステップＳＰ３２に進むと、指示フラグが“１”である全ての入力チャンネルのＣＲＯＳＳＦＡＤＥモードを「ＴＯ」に設定するようにＣＲＯＳＳＦＡＤＥモード指定部３６の該当箇所が更新される。
【００３２】
次に、処理がステップＳＰ３４に進むと、指示フラグが“０”である全ての入力チャンネルの中から、現在のＣＲＯＳＳＦＡＤＥモードが「ＴＯ」であるチャンネルが検出される。次に、処理がステップＳＰ３６に進むと、このステップＳＰ３４において少なくとも一のチャンネルが検出されたか否かが判定される。ここで「ＮＯ」と判定されると、本ルーチンの処理は直ちに終了する。一方、「ＹＥＳ」と判定されると、処理はステップＳＰ３８に進み、検出された入力チャンネル（対応する指示フラグが“０”であってＣＲＯＳＳＦＡＤＥモードが「ＴＯ」であった全入力チャンネル）のＣＲＯＳＳＦＡＤＥモードを「ＮＯＮＥ」に設定するように、ＣＲＯＳＳＦＡＤＥモード指定部３６の該当箇所が更新される。
【００３３】
3．4．ゲインの自動更新開始コマンドの受信
制御機器１０２からデジタルミキサ１１２に対してゲインの自動更新の実行の開始を指示するゲインの自動更新開始コマンドが供給されると、ＣＰＵ１８においては、現在ゲインの自動更新が実行中であるか否かが判定される。ここで、ゲインの自動更新が実行中であれば、当該ゲインの自動更新開始コマンドは無視される。一方、ゲインの自動更新が実行中でなければ、図７に示すゲインの自動更新開始コマンド受信ルーチンが起動される。
【００３４】
図７において処理がステップＳＰ４２に進むと、設定情報テーブル３０が参照され、ＦＡＤＥＲモードが「ＯＮ」であってＣＲＯＳＳＦＡＤＥモードが「ＦＲＯＭ」または「ＴＯ」に設定されている全ての入力チャンネルが検出され、検出された入力チャンネル数が変数ｎに代入される。また、ここでは、検出された各チャンネルが配列ＣＨに代入される。従って配列ＣＨの要素は、チャンネルＣＨ[1]〜ＣＨ[n]である。さらに、入力チャンネルをカウントするためのカウント変数ｋが「１」に設定される。
【００３５】
次に、処理がステップＳＰ４４に進むと、カウント変数ｋがチャンネル数ｎを超えているか否かが判定される。ここで「ＮＯ」と判定されると、処理はステップＳＰ４６に進む。ここでは、チャンネルＣＨ[k]の基準レベルが基準レベル指定部３８から読出され、該チャンネルＣＨ[k]のフェーダゲインが該基準レベルに等しくなるようにカレント領域１６ａが更新される。次に、処理がステップＳＰ４８に進むと、チャンネルＣＨ[k]のＣＲＯＳＳＦＡＤＥモードが「ＴＯ」に設定されているか否かが判定される。ここで「ＹＥＳ」と判定されると、処理はステップＳＰ５０に進み、チャンネルＣＨ[k]のフェーダゲインが最低レベル「−∞」になるようにカレント領域１６ａが更新される。
【００３６】
結局、フェーダゲインは、ＣＲＯＳＳＦＡＤＥモードが「ＦＲＯＭ」であれば基準レベルに設定され、「ＴＯ」であれば最低レベル「−∞」に設定される。これにより、対応する電動フェーダ５２４がフェーダゲインに対応する位置に向かって駆動され、その対応する位置まで自動的に移動する。この移動が完了した後、処理がステップＳＰ５２に進むと、チャンネルＣＨ[k]のＡＵＴＯモードが「ＯＮ」に設定される。次に、処理がステップＳＰ５４に進むと、チャンネルＣＨ[k]に対応するゲインの自動更新・タイマ割込が許可される。
【００３７】
なお、「ゲインの自動更新・タイマ割込」とは、ゲインの自動更新中に所定時間（ゲインの自動更新・タイマ割込周期）毎に、かつ割込許可されたチャンネル毎に発生し、各入力チャンネルのフェーダゲインを徐々に変更してゆくための割込である。この割込の可否はチャンネル毎に設定されるため、ここではチャンネルＣＨ[k]についての割込のみが許可されることになる。また、制御機器１０２から供給されるゲインの自動更新開始コマンドにおいては、ゲインの自動更新を開始した後に終了するまでの時間であるゲインの自動更新実行時間が指定される。従って、ゲインの自動更新実行時間をゲインの自動更新・タイマ割込周期で除算すると、ゲインの自動更新実行時間内の割込発生回数が得られる。
【００３８】
また、ＣＲＯＳＳＦＡＤＥモードが「ＦＲＯＭ」であるチャンネルにおいては、ゲインの自動更新開始時のフェーダゲインは基準レベルであり、ゲインの自動更新終了時のフェーダゲインは最低レベル「−∞」である。逆に、ＣＲＯＳＳＦＡＤＥモードが「ＴＯ」であるチャンネルにおいては、ゲインの自動更新開始時のフェーダゲインは最低レベル「−∞」であり、ゲインの自動更新終了時のフェーダゲインは基準レベルになる。何れの場合においても、「（ゲインの自動更新終了時のフェーダゲイン−ゲインの自動更新開始前のフェーダゲイン）／割込発生回数」によって、「１」回あたりのゲインの自動更新・タイマ割込におけるフェーダゲインの変化量を得ることができる。ステップＳＰ５４においては、チャンネルＣＨ[k]に対するこの変化量も計算される。
【００３９】
次に、処理がステップＳＰ５６に進むと、チャンネルＣＨ[k]のＳＥＬキー５１６の内蔵ＬＥＤの点灯状態が、「ゲインの自動更新停止中」状態から「ゲインの自動更新実行中」状態に変更される。ここで、これら点灯状態の詳細を図１０を参照し説明しておく。まず、「ゲインの自動更新停止中」状態にあっては、ＦＡＤＥＲモードが「ＯＦＦ」であるチャンネルのＳＥＬキーは消灯状態に設定される。また、ＦＡＤＥＲモードが「ＯＮ」であるチャンネルのＳＥＬキーは、ＣＲＯＳＳＦＡＤＥモードに応じた点灯色によって連続点灯される。例えば、ＣＲＯＳＳＦＡＤＥモードが「ＦＲＯＭ」であれば「赤色」で、「ＴＯ」であれば「橙色」で、「ＮＯＮＥ」であれば「緑色」で、ＳＥＬキーが連続点灯されることになる。
【００４０】
また、「ゲインの自動更新実行中」状態においては、ＦＡＤＥＲモードが「ＯＦＦ」であるチャンネルおよびＦＡＤＥＲモードが「ＯＮ」であってＣＲＯＳＳＦＡＤＥモードが「ＮＯＮＥ」であるチャンネルの点灯状態は「ゲインの自動更新停止中」状態の場合と同様である。但し、ＦＡＤＥＲモードが「ＯＮ」であってＣＲＯＳＳＦＡＤＥモードが「ＦＲＯＭ」または「ＴＯ」であれば、ＳＥＬキー５１６は点滅状態に設定される。すなわち、ＣＲＯＳＳＦＡＤＥモードが「ＦＲＯＭ」であれば「赤色」で、「ＴＯ」であれば「橙色」で、ＳＥＬキーが点滅される。これにより、各フェーダが現実に駆動されている旨を、ＳＥＬキーの内蔵ＬＥＤの点滅状態によって、操作者に報知することができる。
【００４１】
図７に戻り、処理がステップＳＰ５８に進むと、カウント変数ｋが「１」だけインクリメントされ、処理はステップＳＰ４４に戻る。以後、チャンネルＣＨ[1]〜ＣＨ[n]の全チャンネルに対して同様の処理が繰り返される。そして、これら全チャンネルに対して同処理が完了すると、ステップＳＰ４４において「ＹＥＳ」と判定され処理はステップＳＰ５９に進む。ここでは、ゲインの自動更新終了割込が許可される。なお、「ゲインの自動更新終了割込」とは、ゲインの自動更新中に所定時間（ゲインの自動更新終了割込周期）毎に発生し、ゲインの自動更新実行時間が経過したか否かを判定するための割込である。
【００４２】
3．5．ゲインの自動更新・タイマ割込処理
上述したように、ステップＳＰ５４において「ゲインの自動更新・タイマ割込」が許可されると、ゲインの自動更新・タイマ割込周期毎に、かつ割込許可されたチャンネル毎に、ゲインの自動更新・タイマ割込が発生する。この割込が発生すると、図８(a)に示すゲインの自動更新・タイマ割込ルーチンが起動される。図において処理がステップＳＰ６２に進むと、今回の割込に係るチャンネル（今回の処理の対象とする入力チャンネル）のＡＵＴＯモードが「ＯＮ」に設定されているか否かが判定される。ここで「ＮＯ」と判定されると、本ルーチンは実質的な処理が行われることなく終了する。一方、ステップＳＰ６２において「ＹＥＳ」と判定されると、処理はステップＳＰ６４に進み、当該チャンネルの変化量（先にステップＳＰ５４において計算された変化量）だけ、当該入力チャンネルのフェーダゲイン（カレント領域１６ａ内に記憶されているフェーダゲインの値と当該チャンネルに対応するフェーダの位置）が変更される。従って、本ルーチンがゲインの自動更新・タイマ割込周期毎に呼び出されると、ＡＵＴＯモードが「ＯＮ」である限り、該当する全てのチャンネルのフェーダゲインが、当該チャンネルに設定されているゲインの自動更新開始時のフェーダゲインからゲインの自動更新終了時のフェーダゲインに向けて、算出された変化量づつ徐々に更新され、これに合わせて自動的にフェーダが徐々に駆動されることになる。
【００４３】
3．6．フェーダ操作イベント処理
何れかの入力チャンネルのフェーダが操作者によって操作（手動操作）されると、その旨がＣＰＵ１８によって検出され図８(b)に示すフェーダ操作イベント処理ルーチンが起動される。なお、本ルーチンはゲインの自動更新実行中であるか否かにかかわらず、フェーダが操作された時に起動される。図において処理がステップＳＰ７２に進むと、ゲインの自動更新が実行中であるか否かが判定される。なお、「ゲインの自動更新が実行中」とは、「制御機器１０２からゲインの自動更新開始コマンドが受信された後、ゲインの自動更新終了割込が禁止されるまでの状態」であることを指す。ここで「ＹＥＳ」と判定されると、処理はステップＳＰ７４に進み、操作されたフェーダに係る入力チャンネルのＦＡＤＥＲモードが「ＯＮ」に設定されているか否かが判定される。
【００４４】
ここで「ＹＥＳ」と判定されると、処理はステップＳＰ７６に進み、該入力チャンネルのＡＵＴＯモードが「ＯＮ」に設定されているか否かが判定される。ここで「ＹＥＳ」と判定されると、処理はステップＳＰ７７に進み、該入力チャンネルのＡＵＴＯモードが「ＯＦＦ」に設定される。次に、処理がステップＳＰ７８に進むと、該チャンネルのフェーダゲインがフェーダの実際の操作量（現在の位置）に等しくなるようにカレント領域１６ａ内の対応箇所が更新される。
【００４５】
このように、ＡＵＴＯモードが「ＯＦＦ」に設定されると、その後にゲインの自動更新・タイマ割込ルーチン（図８(a)）が呼び出された際にステップＳＰ６２において「ＮＯ」と判定されるから、今回のゲインの自動更新の実行が完了するまで、当該入力チャンネルのフェーダゲインが自動的に更新されることはなくなる。換言すれば、ゲインの自動更新の実行中に操作者がゲインの自動更新に係る何れかのフェーダを操作（手動操作）すると、今回のゲインの自動更新の実行が完了するまでの間、そのフェーダはゲインの自動更新の対象から外される。但し、今回のゲインの自動更新が完了した後に、当該入力チャンネルを対象とする新たなゲインの自動更新が実行されると、再びステップＳＰ５２（図７参照）が実行されることにより、当該入力チャンネルのＡＵＴＯモードが再び「ＯＮ」に設定され、当該入力チャンネルのフェーダが自動的に駆動されるようになる。
【００４６】
一方、上記ステップＳＰ７２，ＳＰ７４またはＳＰ７６のうち何れかにおいて「ＮＯ」と判定されると、ステップＳＰ７７はスキップされ、ステップＳＰ７８が実行される。これは、ゲインの自動更新が実行中でない場合、ＦＡＤＥＲモードが「ＯＦＦ」である場合、あるいはＡＵＴＯモードが「ＯＦＦ」である場合には、そもそも操作されたフェーダに係る入力チャンネルはゲインの自動更新の対象ではないため、フェーダの操作量に応じて単にカレント領域１６ａ内の対応箇所を更新すればよいからである。
【００４７】
3．7．ゲインの自動更新終了割込処理
また、上記ステップＳＰ５９（図７参照）においてゲインの自動更新終了割込が許可されると、ゲインの自動更新終了割込周期毎に図８(c)に示すゲインの自動更新終了割込ルーチンが起動される。図において処理がステップＳＰ８２に進むと、ゲインの自動更新が開始された後（ステップＳＰ５９が実行された後）、ゲインの自動更新実行時間が経過したか否かが判定される。ここで「ＮＯ」と判定されると、本ルーチンの処理は直ちに終了する。
【００４８】
一方、ゲインの自動更新実行時間が経過した場合にはここで「ＹＥＳ」と判定され、処理はステップＳＰ８４に進み、ゲインの自動更新・タイマ割込（図８(a)）およびゲインの自動更新終了割込（図８(c)）が禁止される。次に、処理がステップＳＰ８６に進むと、全入力チャンネルのＳＥＬキーの点灯状態が、「ゲインの自動更新実行中」状態（図１０(b)）から「ゲインの自動更新停止中」状態（図１０(a)）に変更される。
【００４９】
3．8．ＳＥＬキー押下イベント処理
ゲインの自動更新の実行中であるか否かにかかわらず、何れかの入力チャンネルのＳＥＬキー５１６が押下されると、図９に示すＳＥＬキー押下イベント処理ルーチンが起動される。図において処理がステップＳＰ１０２に進むと、当該入力チャンネルのＦＡＤＥＲモードが「ＯＮ」であるか否かが判定される。ここで「ＮＯ」と判定されると、処理はステップＳＰ１１４に進み、ＦＡＤＥＲモードが「ＯＮ」に設定される。次に、処理がステップＳＰ１１６に進むと、該入力チャンネルのＣＲＯＳＳＦＡＤＥモードの設定状態が設定情報テーブル３０から読み出される。次に、処理がステップＳＰ１１８に進むと、ＣＲＯＳＳＦＡＤＥモードの設定状態に応じて、ＳＥＬキー内の点灯状態が決定される。ここで決定される点灯状態は、「ゲインの自動更新停止中」状態（図１０(a)）のうち何れかである。
【００５０】
一方、ＳＥＬキー５１６が押下された時にＦＡＤＥＲモードが「ＯＮ」に設定されていたならば、ステップＳＰ１０２において「ＹＥＳ」と判定され処理はステップＳＰ１０４に進み、当該入力チャンネルのＦＡＤＥＲモードが「ＯＦＦ」に設定される。次に、処理がステップＳＰ１０６に進むと、この新たなＦＡＤＥＲモードの（ＯＦＦ）に応じて、当該ＳＥＬキーが消灯される。次に、処理がステップＳＰ１０８に進むと、ゲインの自動更新が実行中であるか否かが判定される。ここで「ＹＥＳ」と判定されると、処理はステップＳＰ１１０に進み、該入力チャンネルのＡＵＴＯモードが「ＯＦＦ」に設定される。
【００５１】
これにより、その後に当該入力チャンネルに対してゲインの自動更新・タイマ割込ルーチン（図８(a)）が起動されたとしても、該ルーチンによってはフェーダゲインが変化されないようになる。次に、処理がステップＳＰ１１２に進むと、当該入力チャンネルのフェーダゲインが、ゲインの自動更新実行前のフェーダゲインに等しくなるように更新される。ここで「ゲインの自動更新実行前のフェーダゲイン」とは、ＣＲＯＳＳＦＡＤＥモードが「ＦＲＯＭ」のチャンネルにおいては基準レベル、「ＴＯ」のチャンネルにおいては最低レベル「−∞」である。これにより、フェーダは、この新たなフェーダゲインに応じた位置に自動的に駆動される。
【００５２】
以上のように、本実施例にあっては、ゲインの自動更新実行中に特定の入力チャンネルについてゲインの自動更新を中止する方法として、（１）当該入力チャンネルのフェーダを操作する（図８(b)）、および（２）当該入力チャンネルのＳＥＬキーを押下する（図９）、という２種類の方法の何れかを選択することができる。前者の方法（１）によれば、その時点で実行中のゲインの自動更新のみを中止し、操作者のマニュアル操作によってフェーダゲインを更新したいときに用いると便利である。また、後者の方法（２）によれば、今回のゲインの自動更新のみならず、その後に実行されるゲインの自動更新においても当該入力チャンネルを対象から外したいときに用いると便利である。
【００５３】
4．変形例
本発明は上述した実施例に限定されるものではなく、例えば以下のように種々の変形が可能である。
【００５４】
(1)上記実施例は本発明をデジタルミキサに適用した例について説明したが、フェーダに減衰器を直結したアナログミキサに対しても本発明を適用できることは言うまでも無い。さらに、本発明は、ミキサ以外の種々の音量調整装置に適用することもできる。
【００５５】
(2)上記実施例においては、ＦＡＤＥＲモードのＯＮ／ＯＦＦ状態の区別、および「ＯＮ」であるときのチャンネル毎のＣＲＯＳＳＦＡＤＥモードを図１０に示すようなＳＥＬキー内のＬＥＤの点灯状態によって操作者に報知したが、ＬＥＤの点灯方法は実施例のものに限定されるわけではない。また、かかる動作モードの報知はＳＥＬキーに内蔵したＬＥＤ以外のディスプレイ等によっても行うことができる。
【００５６】
(3)また、上記実施例においては、ゲインの自動更新が実行中であるか否かにかかわらず、ＦＡＤＥＲモードおよびＣＲＯＳＳＦＡＤＥモードを操作者に報知したが、ゲインの自動更新が実行される前はＦＡＤＥＲモードおよびＣＲＯＳＳＦＡＤＥモードの報知を行わず、報知が必要なタイミング、例えばゲインの自動更新が開始された時にこれらのモードの報知を行うようにしてもよい。
【００５７】
(4)また、上記実施例においては、ゲインの自動更新の対象になる全入力チャンネルについてＦＡＤＥＲモードおよびＣＲＯＳＳＦＡＤＥモードを報知したが、これらモードの報知は、全てのチャンネルに対して同時に行う必要はなく、操作者によって指定された一部のチャンネルに対してのみ、報知するようにしてもよい。
【００５８】
(5)また、上記実施例のステップＳＰ１１８，ＳＰ１２０の処理では、新たにＦＡＤＥＲモードが「ＯＮ」に設定された入力チャンネルに対して、「ゲインの自動更新停止中」状態（図１０(a)）で対応するＳＥＬキーを点灯させたが、この場合の点灯状態を「ゲインの自動更新実行中」状態（図１０(b)）にしてもよい。
【００５９】
(6)また、上記実施例のステップＳＰ１１２においては、ゲインの自動更新実行中にＦＡＤＥＲモードがＯＦＦに設定されると、対応する入力チャンネルのフェーダゲインは基準レベルまたは最低レベル「−∞」の何れかに設定された。しかし、ゲインの自動更新開始コマンド受信ルーチン（図７）が実行されたときに、その時点における各入力チャンネルのフェーダゲインの値をＲＡＭ１６に記憶しておき、ステップＳＰ１１２においてはフェーダゲインをこの記憶された値に設定するようにしてもよい。
【００６０】
(7)また、上記実施例においては、ゲインの自動更新の初期設定時において、各フェーダのその時点のフェーダゲインがゲインの自動更新の際の基準レベルとして基準レベル指定部３８に記憶された。しかし、ゲインの自動更新を一回だけ実行すれば良い場合においては、初期設定時に基準レベルを設定する必要はなく、ゲインの自動更新開始コマンドを受信した際に基準レベルを設定するようにしてもよい。具体的には、上記実施例におけるステップＳＰ４６（図７）の処理に代えて、その時点のチャンネルＣＨ[k]のフェーダゲインを基準レベル指定部３８のチャンネルＣＨ[k]の箇所に書き込む処理を実行するとよい。また、この場合、図９のステップＳＰ１１２においては当該基準レベル指定部３８に書き込まれている値にフェーダゲインが更新されることになる。
【００６１】
(8)また、上記実施例においては、ＣＰＵ１８上で動作するプログラムによって各種処理を実行したが、このプログラムのみをＣＤ−ＲＯＭ、フレキシブルディスク等の記録媒体に格納して頒布し、あるいは伝送路を通じて頒布することもできる。
【図面の簡単な説明】
【００６２】
【図１】本発明の一実施例のデジタルミキサが適用される編集システムのブロック図である。
【図２】本発明の一実施例のデジタルミキサのブロック図である。
【図３】一実施例のデジタルミキサの操作パネルの要部の平面図である。
【図４】一実施例の設定情報テーブル３０のデータ構造を示す図である。
【図５】ＦＲＯＭマシンコマンドおよびＦＲＯＭチャンネルコマンド受信ルーチンのフローチャートである。
【図６】ＴＯマシンコマンドおよびＴＯチャンネルコマンド受信ルーチンのフローチャートである。
【図７】ゲインの自動更新開始コマンド受信ルーチンのフローチャートである。
【図８】各種割込ルーチン／フェーダ操作イベントルーチンのフローチャートである。
【図９】ＳＥＬキー押下イベント処理ルーチンのフローチャートである。
【図１０】各ＳＥＬキーに内蔵されたＬＥＤの点灯状態の説明図である。
【符号の説明】
【００６３】
２：制御信号インタフェース、４：音声信号インタフェース、６：信号処理回路、８：バス、１０：操作子群、１２：表示器群、１４：ＲＯＭ、１６：ＲＡＭ、１６ａ：カレント領域、１８：ＣＰＵ、３０：設定情報テーブル、３２：チャンネル番号欄、３４：入力機器割当部、３５：ＦＡＤＥＲモード指定部、３６：ＣＲＯＳＳＦＡＤＥモード指定部、３７：ＡＵＴＯモード指定部、３８：基準レベル指定部、４０：チャンネル指定データ、４２：チャンネル指定データ、１０２：制御機器、１０４：映像機器、１０６，１０８，１１０：ＶＴＲ、１１２：デジタルミキサ、１１４：サウンドシステム、５１０−１，５１０−２，……：チャンネルストリップ、５１２：ＯＮキー、５１４：ロータリーエンコーダ、５１６：ＳＥＬキー、５１８：ディスプレイ、５２４：電動フェーダ、５２６：ＣＵＥキー。
【図１】
0004232686.tif 000002
【図２】
0004232686.tif 000003
【図３】
0004232686.tif 000004
【図４】
0004232686.tif 000005
【図５】
0004232686.tif 000006
【図６】
0004232686.tif 000007
【図７】
0004232686.tif 000008
【図８】
0004232686.tif 000009
【図９】
0004232686.tif 000010
【図１０】
0004232686.tif 000011